(57)【要約】【課題】着用者に対するフィット性を向上させ、体液の漏れを抑制できる吸収性物品を提供する。【解決手段】吸収性物品１は、吸収体３０と、トップシート１１と、トップシートと吸収体に形成された圧搾部８０と、を有する。圧搾部は、長手方向に延びる長手圧搾部８１と、非連続的に配置された複数の点状圧搾部８２と、を有する。後側域には、吸収体の幅方向の中心に配置され、かつ圧搾部が形成されていない非圧搾領域Ｒ２と、非圧搾領域と長手圧搾部の外側縁との間の領域であって、点状圧搾部が配置された圧搾領域Ｒ１と、を有し、圧搾領域の幅方向の長さＬＲ１は、非圧搾領域の幅方向の長さＬＲ２よりも長い。【選択図】図１
0003206286.tif 000002
【実用新案登録請求の範囲】
【請求項１】
互いに直交する長手方向及び幅方向と、
着用者の股下に配置される股下域と前記股下域の後側に位置する後側域とに配置された吸収体と、
前記吸収体の肌対向面側に配置されたトップシートと、
前記トップシートと前記吸収体に形成された圧搾部と、を有する吸収性物品であって、
前記圧搾部は、前記長手方向に延びる長手圧搾部と、非連続的に配置された複数の点状圧搾部と、を有し、
前記後側域には、前記吸収体の幅方向の中心に配置され、かつ前記圧搾部が形成されていない非圧搾領域と、前記非圧搾領域と前記長手圧搾部の外側縁との間の領域であって、前記点状圧搾部が配置された圧搾領域と、を有し、
前記圧搾領域の幅方向の長さは、前記非圧搾領域の幅方向の長さよりも長い、吸収性物品。
【請求項２】
前記長手圧搾部は、前記股下域と前記後側域に跨って延びている、請求項１に記載の吸収性物品。
【請求項３】
前記長手圧搾部は、前記吸収性物品の幅方向の中心よりも側方において複数配置されており、
前記複数の長手圧搾部は、互いに非平行に配置されている、請求項１又は請求項２に記載の吸収性物品。
【請求項４】
前記複数の長手圧搾部によって挟まれた領域には、前記点状圧搾部が配置されている、請求項３に記載の吸収性物品。
【請求項５】
前記圧搾領域の剛性は、前記非圧搾領域の剛性よりも１ｍＮ以上高い、請求項１から請求項４のいずれかに記載の吸収性物品。
【請求項６】
前記幅方向に延び、前記吸収性物品を折り畳むための折り線を有し、
前記折り線は、前記圧搾領域と離間している、請求項１から請求項５のいずれかに記載の吸収性物品。
【請求項７】
前記吸収体の前記幅方向の中心を挟んで対向する点状圧搾部間の距離は、変化しており、
後側の点状圧搾部間の距離が前側の点状圧搾部間の距離よりも短い幅狭領域を有する、請求項１から請求項６のいずれかに記載の吸収性物品。
【請求項８】
前記幅狭領域及び前記非圧搾領域よりも前側には、後方に向かって凸状に湾曲した凸状圧搾部が設けられている、請求項７に記載の吸収性物品。
【考案の詳細な説明】
【技術分野】
【０００１】
本考案は、生理用ナプキン等の吸収性物品に関する。
【背景技術】
【０００２】
特許文献１は、長手方向に延びる長手圧搾部と、長手圧搾部よりも幅方向の内側において非連続的に配置された複数の点状圧搾部と、が股下域よりも後方に位置する後側域に形成された吸収性物品を開示している。後側域の幅方向の中央には、長手圧搾部及び点状圧搾部が形成されていない非圧搾領域が設けられており、非圧搾領域の幅方向の外側には、点状圧搾部が形成された圧搾領域が設けられている。
【先行技術文献】
【特許文献】
【０００３】
【特許文献１】特開２０１２−１２５２７０号公報
【考案の概要】
【考案が解決しようとする課題】
【０００４】
着用時に吸収性物品には、幅方向の外側から幅方向の内側に向かう力がかかる。当該幅方向の外側から幅方向の内側に向かう力がかかった際に、非圧搾領域は、圧搾領域よりも剛性が低く、圧搾領域に対して着用者側に隆起する。このとき、着用者側に隆起する部分は、圧搾領域の外側縁を基点に隆起し、隆起する部分の高さは、圧搾領域の幅方向の長さに対応する。特許文献１の圧搾領域は、長手方向に沿って一列に並んだ点状圧搾部によって構成されており、非圧搾領域と比較して幅方向の長さが短い。そのため、着用者側に隆起する部分が十分に高くならず、着用者に対するフィット性が低下し、漏れが発生することがある。
【０００５】
本考案は、上述の課題に鑑みてなされたものであり、着用者に対するフィット性を向上させ、体液の漏れを抑制できる吸収性物品を提供することを目的とする。
【課題を解決するための手段】
【０００６】
本開示に係る吸収性物品（吸収性物品１）は、互いに直交する長手方向（長手方向Ｌ）及び幅方向（幅方向Ｗ）と、着用者の股下に配置される股下域（股下域Ｓ１）と前記股下域の後側に位置する後側域（後側域Ｓ３）とに配置された吸収体（吸収体３０）と、前記吸収体の肌対向面側に配置されたトップシート（トップシート１１）と、前記トップシートと前記吸収体に形成された圧搾部（圧搾部８０）と、を有する吸収性物品であって、前記圧搾部は、前記長手方向に延びる長手圧搾部（長手圧搾部８１）と、非連続的に配置された複数の点状圧搾部（点状圧搾部８２）と、を有し、前記後側域には、前記吸収体の幅方向の中心に配置され、かつ前記圧搾部が形成されていない非圧搾領域（非圧搾領域Ｒ２）と、前記非圧搾領域と前記長手圧搾部の外側縁との間の領域であって、前記点状圧搾部が配置された圧搾領域（圧搾領域Ｒ１）と、を有し、前記圧搾領域の幅方向の長さ（長さＬＲ１）は、前記非圧搾領域の幅方向の長さ（長さＬＲ２）よりも長いことを要旨とする。
【考案の効果】
【０００７】
本考案によれば、着用者に対するフィット性を向上させ、体液の漏れを抑制できる吸収性物品を提供することができる。
【図面の簡単な説明】
【０００８】
【図１】一実施形態における吸収性物品の平面図である。
【図２】図１に示すＡ−Ａ線に沿った吸収性物品の断面図である。
【図３】点状圧搾部の拡大平面図である。
【図４】図１のＡ−Ａ線を基準とした着用状態の吸収性物品の断面図である。
【考案を実施するための形態】
【０００９】
本明細書及び添付図面の記載により、少なくとも以下の事項が明らかとなる。
互いに直交する長手方向及び幅方向と、
着用者の股下に配置される股下域と前記股下域の後側に位置する後側域とに配置された吸収体と、
前記吸収体の肌対向面側に配置されたトップシートと、
前記トップシートと前記吸収体に形成された圧搾部と、を有する吸収性物品であって、
前記圧搾部は、前記長手方向に延びる長手圧搾部と、非連続的に配置された複数の点状圧搾部と、を有し、
前記後側域には、前記吸収体の幅方向の中心に配置され、かつ前記圧搾部が形成されていない非圧搾領域と、前記非圧搾領域と前記長手圧搾部の外側縁との間の領域であって、前記点状圧搾部が配置された圧搾領域と、を有し、
前記圧搾領域の幅方向の長さは、前記非圧搾領域の幅方向の長さよりも長い、吸収性物品。
【００１０】
吸収性物品には、着用時に幅方向の外側から幅方向の内側に向かう力がかかる。当該力は、圧搾領域の外側縁にかかり、圧搾領域及び非圧搾領域は、圧搾領域の外側縁を基点に着用者側に隆起する。このとき、着用者側に隆起する部分の高さは、圧搾領域の幅方向の長さに応じて高くなる。圧搾領域の幅方向の長さが非圧搾領域の幅方向の長さよりも長いため、着用者側に隆起する部分の高さを確保でき、着用者に対するフィット性を高めることができる。
【００１１】
非圧搾領域は、圧搾部が形成されてなく、圧搾領域と比較して剛性が低い。よって、非圧搾領域は、幅方向の内側に向かう力がかかった際に、圧搾領域よりも更に着用者側に隆起する。非圧搾領域は、後側域において吸収体の幅方向の中心に配置されており、着用者の左右の臀部の隙間に対して隆起する。非圧搾領域が着用者側に隆起することにより、臀部と吸収性物品との隙間が生じ難くなり、臀部に対するフィット性が向上し、体液の漏れを抑制できる。
【００１２】
かかる吸収性物品であって、
前記長手圧搾部は、前記股下域と前記後側域に跨って延びていることが望ましい。
【００１３】
幅方向の外側から幅方向の内側に向かう力は、後側域よりも股下域に強くかかる。長手圧搾部が股下域と後側域に跨って延びているため、幅方向の外側から幅方向の内側に向かう力を後側域に伝達し易くなり、圧搾領域及び非圧搾領域がより隆起し易くなる。着用者に対するフィット性よりを向上させ、体液の漏れを抑制できる。
【００１４】
かかる吸収性物品であって、
前記長手圧搾部は、前記吸収性物品の幅方向の中心よりも側方において複数配置されており、
前記複数の長手圧搾部は、互いに非平行に配置されていることが望ましい。
【００１５】
複数の長手圧搾部が非平行であるため、複数の長手圧搾部によって挟まれた領域は、面形状となり、変形の基点となり易い。よって、圧搾領域及び非圧搾領域は、圧搾領域の外側縁を基点に隆起するとともに、非圧搾領域が圧搾領域に対してより隆起し易くなる。着用者に対するフィット性よりを向上させ、体液の漏れを抑制できる。
【００１６】
かかる吸収性物品であって、
前記複数の長手圧搾部によって挟まれた領域には、前記点状圧搾部が配置されていることが望ましい。
【００１７】
複数の長手圧搾部によって挟まれた領域は、点状圧搾部によって剛性が高くなり、変形の基点としてより機能し易い。よって、圧搾領域及び非圧搾領域は、圧搾領域の外側縁を基点に隆起するとともに、非圧搾領域が圧搾領域に対してより隆起し易くなる。着用者に対するフィット性よりを向上させ、体液の漏れを抑制できる。
【００１８】
かかる吸収性物品であって、
前記圧搾領域の剛性は、前記非圧搾領域の剛性よりも１ｍＮ以上高いことが望ましい。
【００１９】
圧搾領域の剛性が非圧搾領域の剛性よりも１ｍＮ以上高いことにより、圧搾領域と非圧搾領域の剛性差が顕著となり、圧搾領域に対して非圧搾領域がより変形し易くなる。非圧搾領域がより隆起し易くなり、体液の漏れをより抑制できる。
【００２０】
かかる吸収性物品であって、
前記幅方向に延び、前記吸収性物品を折り畳むための折り線を有し、
前記折り線は、前記圧搾領域と離間していることが望ましい。
【００２１】
このような吸収性物品によれば、圧搾領域と折り線とが離間しているため、圧搾領域に折り線による折り癖が形成されない。圧搾領域の形状を維持し、圧搾領域を基点に非圧搾領域が隆起し易くなる。
【００２２】
かかる吸収性物品であって、
前記吸収体の前記幅方向の中心を挟んで対向する点状圧搾部間の距離は、変化しており、
後側の点状圧搾部間の距離が前側の点状圧搾部間の距離よりも短い幅狭領域を有することが望ましい。
【００２３】
着用時において幅方向の内側に向かう力は、股下域に対して強く掛かり、股下域から後方に向かうにつれて弱くなる。幅狭領域においては、後側の点状圧搾部間の距離が前側の点状圧搾部間の距離よりも短いため、後側の点状圧搾部間の領域は、前側の点状圧搾部間の領域と比較して、弱い力によっても隆起し易くなる。よって、幅狭領域の長手方向の領域全体が隆起し易くなり、身体に対するフィット性を高めることができる。
【００２４】
かかる吸収性物品であって、
前記幅狭領域及び前記非圧搾領域よりも前側には、後方に向かって凸状に湾曲した凸状圧搾部が設けられていることが望ましい。
【００２５】
非圧搾領域よりも前側に凸状圧搾部が設けられているため、非圧搾領域は、非圧搾領域よりも前側の領域に対して相対的に剛性が低くなり、非圧搾領域よりも前側の領域を基点に隆起し易くなる。また、凸状圧搾部は、後方に向かって凸状に湾曲しており、幅方向の内側に向かう力を後方かつ幅方向の内側に向けて伝達する。幅狭領域が凸状圧搾部を介して伝達された力によって着用者側に隆起し、身体に対するフィット性を高めることができる。
【００２６】
＝＝＝本実施の形態に係る吸収性物品について＝＝＝
以下、図面を参照して、実施形態に係る吸収性物品ついて説明する。以下の実施形態では、吸収性物品の一例として使い捨ての生理用ナプキンについて説明する。
【００２７】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００２８】
（１）吸収性物品の全体概略構成
図１は、一実施形態における吸収性物品の平面図である。図２は、図１に示すＡ−Ａ線に沿った吸収性物品の断面図である。吸収性物品１は、互いに直交する長手方向Ｌと幅方向Ｗを有し、かつ着用者の肌対向面側Ｔ１から非肌対向面側Ｔ２へ延びる厚み方向Ｔを有する。肌対向面側Ｔ１は、使用時に、着用者の肌に面する側に相当する。非肌対向面側Ｔ２は、使用時に、肌対向面側Ｔ１とは反対側、すなわち着用者の肌とは反対に向けられる側に相当する。
【００２９】
吸収性物品１は、股下域Ｓ１、前側域Ｓ２及び後側域Ｓ３を有する。股下域Ｓ１は、着用者の排泄口、例えば膣口に対向する領域である。吸収性物品１が下着に装着されたときに、股下域Ｓ１は下着の股下部に配置され、着用者の両足の間に配置される領域である。前側域Ｓ２は、股下域Ｓ１よりも前側に位置する。前側域Ｓ２の前端縁は、吸収性物品１の前端縁を規定する。後側域Ｓ３は、股下域Ｓ１よりも後側に位置する。後側域Ｓ３の後端縁は吸収性物品１の後端縁を規定する。
【００３０】
吸収性物品１は、ウイング３を有する。ウイング３は、股下域Ｓ１における吸収体３０の外側縁よりも幅方向Ｗの外側に延出している。ウイング３は、股下域Ｓ１に設けられている。ウイング３の前端縁は、ウイング３の付け根によって規定されており、最も幅方向Ｗの内側に窪んだ２つの部分のうち、前側に位置する部分に相当する。ウイング３の前端縁は、股下域Ｓ１と前側域Ｓ２との境界を規定する。ウイング３の後端縁は、ウイング３の付け根によって規定されており、最も幅方向Ｗの内側に窪んだ２つの部分のうち、後側に位置する部分に相当する。ウイング３の後端縁は、股下域Ｓ１と後側域Ｓ３との境界を規定する。
【００３１】
吸収性物品１は、肌面シート１０、非肌面シート２０及び吸収体３０を有する。肌面シート１０は、吸収体３０よりも肌対向面側Ｔ１に設けられる。非肌面シート２０は、吸収体３０よりも非肌対向面側Ｔ２に設けられる。吸収体３０は、肌面シート１０と非肌面シート２０との間に設けられる。
【００３２】
吸収体３０は、少なくとも股下域Ｓ１と後側域Ｓ３に配置されている。吸収体３０は、液体を吸収する吸収材料からなる吸収コア（図示せず）と、吸収コアを包むコアラップ（図示せず）と、を有する。
【００３３】
肌面シート１０は、トップシート１１及びサイドシート１２を有する。トップシート１１は、体液等の液体を透過する液透過性のシートである。サイドシート１２は、幅方向Ｗにおけるトップシート１１の外側縁を覆い、トップシート１１よりも幅方向Ｗの外側へ延びている。非肌面シート２０は、液不透過性のシートである。吸収性物品１は、吸収体３０とトップシート１１に形成された圧搾部８０を有する。圧搾部８０の構成については、後述にて詳細に説明する。
【００３４】
吸収性物品１は、吸収性物品を折り畳むための複数の折り線を有する。折り線は、少なくとも幅方向に延びる第１折り線ＦＬ１及び第２折り線ＦＬ２を有する。第１折り線ＦＬ１は、前側域Ｓ２に形成されており、第２折り線ＦＬ２は、後側域Ｓ３に形成されている。吸収性物品１は、第１折り線ＦＬ１及び第２折り線ＦＬ２を基点に、肌対向面同士が対向するように折り畳まれる。よって、折り畳まれた吸収性物品１を展開した状態において、第１折り線ＦＬ１及び第２折り線ＦＬ２は、着用者に対して谷折りの線となる。吸収性物品１には、第１折り線ＦＬ１及び第２折り線ＦＬ２が着用者から離れるような折り癖が形成される。
【００３５】
（２）圧搾部の詳細構成
次いで、圧搾部８０について詳細に説明する。圧搾部８０は、少なくともトップシート１１と吸収体３０に形成されている。圧搾部８０は、少なくともトップシート１１と吸収体３０を厚み方向Ｔに圧搾することによって形成されている。圧搾部８０は、長手圧搾部８１と、点状圧搾部８２と、凸状圧搾部８３と、を少なくとも有する。
【００３６】
吸収性物品１の後側域Ｓ３には、吸収体の幅方向の中心に配置され、かつ圧搾部８０が形成されていない非圧搾領域Ｒ２と、非圧搾領域Ｒ２と長手圧搾部８１の外側縁との間の領域であって、点状圧搾部８２が配置された圧搾領域Ｒ１と、を有する。吸収性物品は、着用時に圧搾領域Ｒ１の外側縁を基点に圧搾領域Ｒ１及び非圧搾領域Ｒ２が着用者側に隆起するとともに、圧搾領域Ｒ１を基点に非圧搾領域Ｒ２が着用者側に隆起するように構成されている。
【００３７】
長手圧搾部８１は、長手方向Ｌに延びる線状の圧搾部であり、一対で設けられている。一対の長手圧搾部８１は、吸収性物品１の幅方向の中心を通り、かつ長手方向に延びる幅中心線１ＷＣを中心軸として対称に配置されている。一対の長手圧搾部８１は、吸収性物品１の幅方向の中心よりも側方において複数配置されている。複数の長手圧搾部８１は、第１長手圧搾部８１１と、第１長手圧搾部８１１よりも幅方向の内側に位置する第２長手圧搾部８１２と、を有する。複数の長手圧搾部８１のうち少なくともいずれか一方の長手圧搾部８１は、股下域Ｓ１と後側域Ｓ３に跨って延びている。本実施の形態の第１長手圧搾部８１１は、股下域Ｓ１、前側域Ｓ２及び後側域Ｓ３を跨って延びている。第１長手圧搾部８１１は、長手方向Ｌに沿う直線状である。第２長手圧搾部８１２は、後方に向かうにつれて幅方向の内側に向かって延びており、一対の第２長手圧搾部８１２の後端縁は、連なっている。
【００３８】
第１長手圧搾部８１１と第２長手圧搾部８１２は、吸収性物品の幅方向の中心よりも両外側にそれぞれ配置されている。第１長手圧搾部８１１と、第２長手圧搾部８１２と、幅方向に離間しており、互いに非平行に配置されている。第１長手圧搾部８１１と第２長手圧搾部８１２は、互いに非平行に配置された部分を有していればよい。本実施の形態において第１長手圧搾部８１１と第２長手圧搾部８１２が非平行とは、第１長手圧搾部８１１と第２長手圧搾部８１２の幅方向の距離が変化していることである。第１長手圧搾部８１１と第２長手圧搾部８１２が非平行に配置されているため、第１長手圧搾部８１１と第２長手圧搾部８１２によって挟まれた領域は、面形状となり易く、非圧搾領域Ｒ２の変形の基点となり易い。
【００３９】
点状圧搾部８２は、長手方向Ｌ及び幅方向Ｗに間隔を空けて配置されており、非連続的に複数配置されている。点状圧搾部８２は、第１長手圧搾部８１１と第２長手圧搾部８１２によって挟まれた領域と、第２長手圧搾部８１２よりも幅方向の内側の領域と、に配置されている。点状圧搾部８２は、後側域Ｓ３において圧搾領域Ｒ１内に設けられている。点状圧搾部８２は、第２折り線ＦＬ２よりも後方に配置されている。
【００４０】
図３は、点状圧搾部８２の平面図である。図３においては、長手圧搾部８１及び凸状圧搾部８３を省略している。吸収性物品１には、点状圧搾部８２が幅方向に沿って並んだ点状圧搾部列８２１が設けられている。点状圧搾部列８２１は、非圧搾領域Ｒ２を挟んで配置される点状圧搾部の列であり、長手方向Ｌに間隔を空けて複数配置されている。点状圧搾部列８２１の内側縁８２１Ｉは、幅方向にずれている。よって、吸収性物品の幅方向の中心を挟んで対向する点状圧搾部８２間の距離は、変化している。吸収性物品には、後側の点状圧搾部８２間の距離が前側の点状圧搾部８２間の距離よりも短い幅狭領域Ｒ３が設けられている。幅狭領域Ｒ３は、圧搾領域Ｒ１と非圧搾領域Ｒ２を跨がっている。
【００４１】
凸状圧搾部８３は、幅狭領域Ｒ３の前側に設けられている。凸状圧搾部８３は、後方に向かって凸状に湾曲した線状の圧搾部である。凸状圧搾部８３の凸形状の頂点は、凸状圧搾部８３の後端縁に位置し、吸収性物品１の幅方向の中心に配置されている。
【００４２】
圧搾領域Ｒ１の外側縁は、長手圧搾部８１の外側縁よりも幅方向の外側に位置し、複数の長手圧搾部８１を有する構成においては、最も幅方向の外側に位置する長手圧搾部８１の外側縁よりも外側に位置する。本実施の形態の圧搾領域Ｒ１の外側縁は、第１長手圧搾部８１１の外側縁よりも幅方向の外側に０．６ｍｍに向かった位置である。圧搾領域Ｒ１の前端縁は、後側域Ｓ３において最も前側に配置された点状圧搾部８２に一致する。圧搾領域Ｒ１は、凸状圧搾部８３よりも外側の領域である。圧搾領域Ｒ１の後端縁は、吸収体の後端縁よりも後側であり、トップシート１１の後端縁に一致する。
【００４３】
圧搾領域Ｒ１と非圧搾領域Ｒ２の境界は、点状圧搾部列８２１の内側縁８２１Ｉに一致する。複数の点状圧搾部列の内側縁がずれている構成においては、最も幅方向の内側に位置する点状圧搾部列８２１の内側縁８２１Ｉに一致する。非圧搾領域Ｒ２は、点状圧搾部８２と凸状圧搾部８３によって囲まれた領域である。非圧搾領域Ｒ２の前端縁は、凸状圧搾部の外縁に一致する。非圧搾領域Ｒ２の後側には、圧搾領域Ｒ１が設けられている。非圧搾領域Ｒ２は、長手方向に沿って延びている。圧搾領域Ｒ１の幅方向の長さＬＲ１は、非圧搾領域Ｒ２の幅方向の長さＬＲ２よりも長い。
【００４４】
圧搾領域Ｒ１の剛性は、非圧搾領域Ｒ２の剛性よりも高く、より好適には、圧搾領域Ｒ１の剛性は、非圧搾領域Ｒ２の剛性よりも１ｍＮ以上高い。圧搾領域Ｒ１の剛性が非圧搾領域Ｒ２の剛性よりも１ｍＮ以上高いことにより、圧搾領域Ｒ１と非圧搾領域Ｒ２の剛性差が顕著となり、圧搾領域Ｒ１に対して非圧搾領域Ｒ２が変形し易くなる。
【００４５】
圧搾領域Ｒ１は、第１折り線ＦＬ１及び第２折り線ＦＬ２に重ならず、第１折り線ＦＬ１及び第２折り線ＦＬ２と離間している。圧搾領域Ｒ１と第１折り線ＦＬ１が離間し、かつ圧搾領域Ｒ１と第２折り線ＦＬ２折り線とが離間しているため、圧搾領域に折り線による折り癖が形成されない。圧搾領域Ｒ１は、フラットな面形状を維持して変形基点として機能し易くなる。非圧搾領域Ｒ２は、圧搾領域Ｒ１を基点に隆起し易くなる。また、圧搾領域Ｒ１は、折り線のうち、着用者に対して離れる方向の折り癖を形成する折り線（谷折りの折り線）と離間してよい。圧搾領域Ｒ１に着用者と離れる方向に変形する折り癖が形成されず、圧搾領域Ｒ１は、非圧搾領域Ｒ２の変形の基点として機能し易い。よって、臀部に対するフィット性が向上し、体液の漏れを抑制できる。
【００４６】
また、本明細書における「長さ」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。次いで、シンワ測定株式会社製のスプリングメジャー（テープ：ガラス繊維入塩ビ被覆）を用いて、測定対象部位に沿わせるようにして、測定対象部位のこの状態の長さを測定する。ここで、１０サンプルに対して、それぞれの状態で上述の測定を行い、その平均値を、長さとした。
【００４７】
本明細書における「剛性」は、幅方向に沿う力に対する変形し難さを指標するものであり、剛性が高いほど、曲がり難い。剛性は、吸収体を構成する吸収材料の目付に応じており、目付が高いほど、剛性が高くなる。よって、吸収体の目付を目視等で確認することにより、剛性を確認することができる。また、圧搾領域Ｒ１と非圧搾領域Ｒ２の剛性は、ＪＩＳ  Ｌ  １０９６の測定方法に準拠したガーレー剛性値によって測定することもできる。
【００４８】
本実施の形態に係る吸収性物品を用いて、圧搾領域Ｒ１と非圧搾領域Ｒ２の剛性を測定した。測定は、吸収性物品から圧搾領域Ｒ１の試験片と非圧搾領域Ｒ２の試験片とを切り出して行った。試験片の長手方向の長さは３８ｍｍであり、試験片の幅方向の長さは８ｍｍであり、幅方向に沿う剛性を測定した。非圧搾領域の剛性値は、０．９８ｍＮであり、圧搾領域の剛性値は、２．１１ｍＮであった。圧搾領域Ｒ１と非圧搾領域Ｒ２の剛性差は、１．１３ｍＮであり、圧搾領域Ｒ１の剛性は、非圧搾領域Ｒ２の剛性よりも１ｍＮ以上高く構成されている。
【００４９】
（３）着用時の変形態様
次いで、図４に基づいて着用時の変形態様について説明する。図４は、図１に示すＡ−Ａ線を基準とした着用状態の吸収性物品の断面図である。吸収性物品には、着用時に幅方向の外側から幅方向の内側に向かう力がかかる。当該力は、着用者の両脚によって挟まれる股下域Ｓ１に強く掛かる。股下域Ｓ１に掛かった力は、第１長手圧搾部８１１を介して股下域Ｓ１から後側域Ｓ３に伝達され、第１長手圧搾部８１１よりも幅方向の内側の領域に掛かる。
【００５０】
幅方向の内側に向かう力は、第１長手圧搾部８１１を介して圧搾領域Ｒ１及び非圧搾領域Ｒ２に掛かる。圧搾領域Ｒ１及び非圧搾領域Ｒ２は、第１長手圧搾部８１１を基点にして着用者側に隆起する。隆起する部分の高さは、圧搾領域Ｒ１の幅方向の長さＬＲ１に応じて高くなる。圧搾領域Ｒ１の幅方向の長さＬＲ１が非圧搾領域Ｒ２の幅方向の長さＬＲ２よりも長いため、隆起する部分の高さが高くなる。よって、吸収性物品１の隆起した部分が着用者の身体にフィットし、吸収性物品１と着用者の隙間を少なくし、体液の漏れを低減できる。
【００５１】
非圧搾領域Ｒ２は、圧搾領域Ｒ１よりも剛性が低く、圧搾領域Ｒ１よりも更に着用者側に隆起する。このとき、圧搾領域Ｒ１は、非平行に配置された第１長手圧搾部８１１と第２長手圧搾部８１２によって挟まれているため、面形状となり易く、非圧搾領域Ｒ２の変形の基点として機能し易い。また、圧搾領域Ｒ１内に点状圧搾部８２が設けられており、非圧搾領域Ｒ２と圧搾領域Ｒ１のとの剛性差が顕著であるため、非圧搾領域Ｒ２が圧搾領域Ｒ１に対して隆起し易い。非圧搾領域Ｒ２は、後側域Ｓ３において吸収体３０の幅方向の中心に配置されており、着用者の左右の臀部の隙間に対して隆起する。非圧搾領域Ｒ２が着用者側に隆起することにより、臀部と吸収性物品との隙間が生じ難くなり、臀部に対するフィット性が向上し、体液の漏れを抑制できる。
【００５２】
非圧搾領域Ｒ２よりも前側の領域に凸状圧搾部が設けられているため、非圧搾領域Ｒ２は、非圧搾領域Ｒ２よりも前側の領域に対する剛性が相対的に低くなり、非圧搾領域Ｒ２よりも前側の領域を基点に隆起し易くなる。また、凸状圧搾部は、後方に向かって凸状に湾曲しており、幅方向の内側に向かう力を後方かつ幅方向の内側に向けて伝達する。凸状圧搾部８３によって伝達された力は、幅狭領域に伝わる。幅方向の内側に向かう力は、股下域に対して強く掛かり、股下域から後方に向かうにつれて弱くなる。幅狭領域においては、後側の点状圧搾部８２間の距離が前側の点状圧搾部８２間の距離よりも短いため、後側の点状圧搾部８２間の領域は、前側の点状圧搾部８２間の領域と比較して、弱い力によっても隆起し易くなる。よって、幅狭領域に配置される非圧搾領域Ｒ２の長手方向の全域が隆起し易くなる。着用者側に隆起する領域が長手方向に沿って形成され、臀部間の隙間に沿ってフィットし易い。臀部に対するフィット性が向上し、体液の漏れを抑制できる。
【００５３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００５４】
１        ：吸収性物品
１１      ：トップシート
３０      ：吸収体
８１      ：長手圧搾部
８２      ：点状圧搾部
８３      ：凸状圧搾部
Ｒ１      ：圧搾領域
Ｒ２      ：非圧搾領域
Ｒ３      ：幅狭領域
Ｌ        ：長手方向
Ｗ        ：幅方向
Ｔ        ：厚み方向
Ｓ１      ：股下域
Ｓ２      ：前側域
Ｓ３      ：後側域
【図１】
0003206286.tif 000003
【図２】
0003206286.tif 000004
【図３】
0003206286.tif 000005
【図４】
0003206286.tif 000006